(57)【要約】【課題】工学部材を確実に固定して振動等による該エクステンションの抜けを防ぐことができる車両用灯具の光学部材固定構造を提供すること。【解決手段】ハウジング２とその開口部を覆うアウタレンズ３によって画成された灯室４内に、光源５と、エクステンション（光学部材）７を収容して成る車両用灯具１の前記エクステンション７の固定構造として、前記ハウジング２の開口部周縁の一部に垂直に起立する平坦な受け座面２Ａを形成し、該受け座面２Ａに、前記エクステンション７の外周縁の一部に形成された垂直に起立する平坦な脚部７Ａを当て、該脚部７Ａを、前記アウタレンズ３の外周縁内面の一部に突設された垂直な押し込みリブ３Ａと前記受け座面２Ａとで挟み込むことによって、前記エクステンション７を固定する構成を採用する。【選択図】図２
2019145301.tif 000002
【特許請求の範囲】
【請求項１】
ハウジングとその開口部を覆うアウタレンズによって画成された灯室内に、光源と、光学部材を収容して成る車両用灯具の前記光学部材の固定構造であって、
前記ハウジングの開口部周縁の一部に垂直に起立する平坦な受け座面を形成し、該受け座面に、前記光学部材の外周縁の一部に形成された垂直に起立する平坦な脚部を当て、該脚部を、前記アウタレンズの外周縁内面の一部に突設された垂直な押し込みリブと前記受け座面とで挟み込むことによって、前記光学部材を固定することを特徴とする車両用灯具の光学部材固定構造。
【請求項２】
前記受け座面と前記脚部及び前記押し込みリブを、前記ハウジングと前記光学部材及びアウタレンズの各上部左右の対応する箇所にそれぞれ形成したことを特徴とする請求項１記載の車両用灯具の光学部材固定構造。
【発明の詳細な説明】
【技術分野】
【０００１】
本発明は、車両用灯具のエクステンション、インナーレンズ、リフレクタ、ブラケット等の光学部材の固定構造に関するものである。
【背景技術】
【０００２】
例えば、自動二輪車のヘッドランプ等の車両用灯具として、ハウジングとその開口部を覆うアウタレンズによって画成された灯室内に、光源と、該光源から出射する光を反射させるリフレクタと、該リフレクタの周囲を覆うエクステンションを収容して成るものが知られている（例えば、特許文献１参照）。ここで、斯かる車両用灯具における光学部材としてのエクステンションの固定構造を図６に示す。
【０００３】
即ち、図６は従来の車両用灯具のエクステンションの固定構造を示す部分側断面図であり、図示の車両用灯具１０１においては、ハウジング１０２の開口部周縁に形成された凹溝１０２ａにアウタレンズ１０３の外周縁に突設された脚部１０３ａが嵌め込まれ、その嵌め込み部をホットメルト等の接着剤１０８で接着することによってアウタレンズ１０３がハウジング１０２に固定され、このアウタレンズ１０３とハウジング１０２によって灯室１０４が画成されている。
【０００４】
そして、上記灯室１０４内には、不図示の光源と、該光源から出射する光を車両前方に向けて反射されるリフレクタ１０６と、該リフレクタ１０６の周囲を覆うエクステンション１０７が収納されている。ここで、エクステンション１０７は、その外周縁の後端部（図６の右端部）がハウジング１０２の凹溝１０２ａの近くに形成された凹部１０２ｂに差し込まれ、その一部が接着剤１０８によって部分的に接着されることによって固定されている。
【先行技術文献】
【特許文献】
【０００５】
【特許文献１】特開２０１２−１０４４２３号公報
【発明の概要】
【発明が解決しようとする課題】
【０００６】
しかしながら、図６に示す従来の車両用灯具１０１におけるエクステンション１０７の固定構造においては、エクステンション１０７の外周縁の後端部がハウジング１０２の凹部１０２ｂに差し込まれるとともに、その一部が接着剤１０８によって固定されているだけであるため、その固定が十分ではなく、振動等によってエクステンション１０７が抜けて脱落する可能性がある。
【０００７】
本発明は上記問題に鑑みてなされたもので、その目的は、エクステンション、インナーレンズ、リフレクタ、ブラケット等の光学部材を確実に固定して振動等による該エクステンションの抜けを防ぐことができる車両用灯具のエクステンション固定構造を提供することにある。
【課題を解決するための手段】
【０００８】
上記目的を達成するため、請求項１記載の発明は、ハウジングとその開口部を覆うアウタレンズによって画成された灯室内に、光源と、光学部材を収容して成る車両用灯具の前記光学部材の固定構造であって、前記ハウジングの開口部周縁の一部に垂直に起立する平坦な受け座面を形成し、該受け座面に、前記光学部材の外周縁の一部に形成された垂直に起立する平坦な脚部を当て、該脚部を、前記アウタレンズの外周縁内面の一部に突設された垂直な押し込みリブと前記受け座面とで挟み込むことによって、前記光学部材を固定することを特徴とする。
【０００９】
請求項２記載の発明は、請求項１記載の発明において、前記受け座面と前記脚部及び前記押し込みリブを、前記ハウジングと前記光学部材及びアウタレンズの各上部左右の対応する箇所にそれぞれ形成したことを特徴とする。
【発明の効果】
【００１０】
本発明によれば、エクステンション等の光学部材の外周縁の一部に形成された脚部をハウジングの受け座面とアウタレンズの押し込みリブによって挟み込んで光学部材を固定するようにしたため、該光学部材が確実に固定され、振動等によっても光学部材の抜けが発生することがない。
【図面の簡単な説明】
【００１１】
【図１】本発明に係る光学部材固定構造を備える車両用灯具の正面図である。
【図２】図１のＡ−Ａ線断面図である。
【図３】本発明に係る光学部材固定構造を示すハウジングとエクステンション及びアウタレンズの斜視図である。
【図４】本発明に係る光学部材固定構造を備える車両用灯具のハウジングの正面図である。
【図５】本発明に係る光学部材固定構造を備える車両用灯具のアウタレンズの裏面図である。
【図６】従来の車両用灯具の光学部材固定構造を示す部分側断面図である。
【発明を実施するための形態】
【００１２】
以下に本発明の実施の形態を添付図面に基づいて説明する。
【００１３】
図１は本発明に係る光学部材固定構造を備える車両用灯具の正面図、図２は図１のＡ−Ａ線断面図、図３は本発明に係る光学部材固定構造を示すハウジングと光学部材及びアウタレンズの斜視図、図４は同車両用灯具のハウジングの正面図、図５は同車両用灯具のアウタレンズの裏面図である。
【００１４】
本実施の形態に係る車両用灯具１は、自動二輪車のヘッドランプとして使用されるものであって、図２に示すように、ハウジング２とその前面開口部を覆うアウタレンズ３によって画成された灯室４内に、バルブ等の光源５（図１参照）と、該光源５から出射する光を反射させるリフレクタ６と、該リフレクタ６の周囲を覆うエクステンション７を収容して構成されている。尚、リフレクタ６やエクステンション７は、光学部材を構成するが、本実施の形態では、特にエクステンション７の固定構造について説明する。
【００１５】
上記ハウジング２は、図１、図３及び図４に示すように、光不透過性の不透明樹脂によって正面視多角ボックス状に一体成形されており、その開口部周縁には凹溝２ａ（図２及び図４参照）が全周に亘って形成されている。
【００１６】
又、前記アウタレンズ３は、図３及び図５に示すように、光透過性の透明樹脂によってハウジング２と同様に正面視多角ボックス状に一体成形されており、図２に示すように、その外周縁に車両後方（図２の右方）に向かって水平に突設された脚部３ａをハウジング２の凹溝２ａに車両前方から差し込み、その差し込み部をホットメルト等の接着剤８によって接着することによって該アウタレンズ３がハウジング２に固定されており、両者によって前述のように前記灯室４が画成されている。
【００１７】
前記リフレクタ６と前記エクステンション７は、光不透過性の不透明樹脂によってそれぞれ一体成形されており、リフレクタ６の内面の反射面６ａにはアルミ蒸着等の反射処理が施されている。
【００１８】
ところで、図２〜図４に示すように、ハウジング２の外周縁に沿って形成された凹溝２ａの内側（径方向内側）の左右２箇所には、垂直に起立する平坦な矩形の受け座面２Ａがそれぞれ形成されている。
【００１９】
又、図２及び図３に示すように、エクステンション７の外周縁の上部左右（ハウジング２の左右の受け座面２Ａに対応する左右２箇所）には、垂直に起立する矩形の平坦な脚部７Ａがそれぞれ一体に突設されている。
【００２０】
更に、図２及び図５に示すように、アウタレンズ３の外周縁内面の左右２箇所（ハウジング２の左右の受け座面２Ａとエクステンション７の左右の脚部７Ａに対応する左右２箇所）には、垂直に起立する押し込みリブ３Ａがそれぞれ一体に突設されている。
【００２１】
而して、エクステンション７は、図２に示すように、これの外周縁の上部左右に形成された脚部７Ａをハウジング２の左右２箇所に形成された受け座面２Ａに当て、これら脚部７Ａを、アウタレンズ３の外周縁内面の左右２箇所に突設された押し込みリブ３Ａとハウジング２の左右の受け座面２Ａとでそれぞれ挟み込むことによって、その上部の左右２箇所が固定される。
【００２２】
上記のようなエクステンション７の固定構造によれば、エクステンション７の外周縁の左右２箇所に形成された脚部７Ａをハウジング２の左右の受け座面２Ａとアウタレンズ３の左右の押し込みリブ３Ａによってそれぞれ挟み込んでエクステンション７を固定するようにしたため、該エクステンション７が確実に固定され、振動等によってもエクステンション７の抜けが発生することがなく、該エクステンション７の脱落が確実に防がれる。
【００２３】
尚、以上は本発明を自動二輪車のヘッドランプとして使用される車両用灯具に対して適用した形態について説明したが、本発明は、光学部材を備える他の任意の車両用灯具に対しても同様に適用可能であることは勿論である。又、本実施の形態においては、光学部材として特にエクステンションの固定構造について説明したが、本発明は、エクステンション以外のインナーレンズ、リフレクタ、ブラケット等の他の任意の光学部材の固定構造に対しても同様に適用可能である。
【符号の説明】
【００２４】
１        車両用灯具
２        ハウジング
２Ａ      ハウジングの受け座面
２ａ      ハウジングの凹溝
３        アウタレンズ
３Ａ      アウタレンズの押し込みリブ
３ａ      アウタレンズの脚部
４        灯室
５        光源
６        リフレクタ
６ａ      リフレクタの反射面
７        エクステンション（光学部材）
７Ａ      エクステンションの脚部
８        接着剤
【図１】
2019145301.tif 000003
【図２】
2019145301.tif 000004
【図３】
2019145301.tif 000005
【図４】
2019145301.tif 000006
【図５】
2019145301.tif 000007
【図６】
2019145301.tif 000008